(57)【要約】【課題】ポケットや鞄に入れて携帯するときに、意図しない遠隔操作を抑制することができる携帯機を提供する。【解決手段】携帯機１は、操作対象である車両１０のドア錠を遠隔操作する。携帯機１は、携帯機１の傾斜変化を検知すると傾斜検知信号を出力する傾斜スイッチ２と、携帯機１が握られているときに握り検知信号を出力する握り検知スイッチ３，４と、傾斜検知信号に基づいて遠隔操作内容を判断し、その旨の異なる操作信号を生成する操作信号生成手段として機能するマイコン５とを備える。携帯機１は、マイコン５に握り検知信号が出力されているときにのみ操作信号を送信する。【選択図】図１
2007329815.tif 000002
【特許請求の範囲】
【請求項１】
操作対象を遠隔操作する携帯機において、
携帯機の傾斜変化を検知すると傾斜検知信号を出力する傾斜検知手段と、
前記携帯機が握られているときに握り検知信号を出力する握り検知用スイッチと、
前記傾斜検知信号に基づいて遠隔操作内容を判断し、その旨の操作信号を生成する操作信号生成手段とを備え、
前記握り検知信号が出力されているときにのみ前記操作信号を送信する
ことを特徴とする携帯機。
【請求項２】
請求項１に記載の携帯機において、
前記傾斜検知手段は、所定角度より大きい傾斜変化を検知したときに、前記傾斜検知信号を出力し、
前記操作信号生成手段は、前記傾斜検知信号が出力される度に前記遠隔操作内容を順番に切り替えて判断し、その旨の前記操作信号を生成する
ことを特徴とする携帯機。
【請求項３】
請求項１に記載の携帯機において、
前記傾斜検知手段は、検知した傾斜方向に基づいて複数種類の遠隔操作内容に対応する異なる前記傾斜検知信号を出力し、
前記操作信号生成手段は、前記傾斜検知信号に基づいて前記遠隔操作内容を判断し、その旨の前記操作信号を生成する
ことを特徴とする携帯機。
【請求項４】
操作対象を遠隔操作する携帯機において、
携帯機の速度変化を検知すると加速度検知信号を出力する加速度検知手段と、
前記携帯機が握られているときに握り検知信号を出力する握り検知用スイッチと、
前記速度検知信号に基づいて遠隔操作内容を判断し、その旨の操作信号を生成する操作信号生成手段とを備え、
前記握り検知信号が出力されているときにのみ前記操作信号を送信する
ことを特徴とする携帯機。
【請求項５】
請求項４に記載の携帯機において、
前記加速度検知手段は、所定加速度より大きい速度変化を検知したときに、前記加速度検知信号を出力し、
前記操作信号生成手段は、前記加速度検知信号が出力される度に前記遠隔操作内容を順番に切り替えて判断し、その旨の前記操作信号を生成する
ことを特徴とする携帯機。
【請求項６】
請求項４に記載の携帯機において、
前記加速度検知手段は、検知した加速度の方向に基づいて複数種類の前記遠隔操作内容に対応する異なる前記加速度検知信号を出力し、
前記操作信号生成手段は、前記加速度検知信号に基づいて前記遠隔操作内容を判断し、その旨の前記操作信号を生成する
ことを特徴とする携帯機。
【請求項７】
請求項１〜６のいずれか一項に記載の携帯機において、
前記握り検知スイッチは、タッチセンサである
ことを特徴とする携帯機。
【請求項８】
請求項１〜７のいずれか一項に記載の携帯機を具備し、前記操作信号には前記操作対象である車両又は建物のドア錠の施解錠を行わせる施解錠信号とＩＤコードとが含まれ、
前記携帯機から送信される前記操作信号の前記ＩＤコードと前記車両又は建物に予め設定されたＩＤコードとの照合が一致したことを条件に、前記施解錠信号に基づいて前記車両又は建物に設けられたドアのドア錠の施解錠を行う
車両又は建物のドア錠の遠隔操作装置。
【発明の詳細な説明】
【技術分野】
【０００１】
この発明は、車両又は建物のドア錠の遠隔操作装置に用いられる携帯機に関する。
【背景技術】
【０００２】
従来、利便性の向上を目的に、ＩＤコードを用いた電子制御による車両又は建物のドア錠の遠隔操作装置が提案されている。このような遠隔操作装置のうち車両用では、ドア錠の施解錠等を車両に行わせるためのスイッチが携帯機の表面に設けられている（例えば、特許文献１参照）。このスイッチを操作すると、携帯機から車両に対してＩＤコード信号が送信される。車両は、このＩＤコード信号を受信すると、ＩＤコード信号に含まれるＩＤコードと車両に予め記憶されているＩＤコードとの照合を行う。そして、両者のＩＤコードの一致を条件にドア錠の解錠又は施錠を行う。このため、キーシリンダにキーを挿入する等の操作が不要となり、利便性が向上する。
【特許文献１】特開２００５−２６８９４５号公報
【発明の開示】
【発明が解決しようとする課題】
【０００３】
ところで、上記特許文献１に記載の携帯機は、ポケットや鞄に入れて携帯される。このようなときに、ポケットや鞄の中で携帯機のスイッチに対して意図しない入力操作、すなわち、ポケットの内部で押圧されたり、鞄の中で他のものが接触したりすると、意図しない操作信号の送信が行われ、意図しない遠隔操作（ドア錠の施解錠）が行われるおそれがある。
【０００４】
この発明は、こうした実情に鑑みてなされたものであり、その目的は、ポケットや鞄に入れて携帯するときに、意図しない遠隔操作を抑制することができる携帯機を提供することにある。
【課題を解決するための手段】
【０００５】
以下、上記目的を達成するための手段及びその作用効果について説明する。
請求項１に記載の発明は、操作対象を遠隔操作する携帯機において、携帯機の傾斜変化を検知すると傾斜検知信号を出力する傾斜検知手段と、前記携帯機が握られているときに握り検知信号を出力する握り検知用スイッチと、前記傾斜検知信号に基づいて遠隔操作内容を判断し、その旨の操作信号を生成する操作信号生成手段とを備え、前記握り検知信号が出力されているときにのみ前記操作信号を送信することをその要旨としている。
【０００６】
同構成によれば、握り検知信号と操作信号とが出力されているときにのみ操作信号が送信されるため、携帯機をポケットや鞄に入れて携帯するときに、意図しない遠隔操作を抑制することができる。また、携帯機を傾けることによって操作信号を送信することができるため、操作が簡易である。
【０００７】
請求項２に記載の発明は、請求項１に記載の携帯機において、前記傾斜検知手段は、所定角度より大きい傾斜変化を検知したときに、前記傾斜検知信号を出力し、前記操作信号生成手段は、前記傾斜検知信号が出力される度に前記遠隔操作内容を順番に切り替えて判断し、その旨の前記操作信号を生成することをその要旨としている。
【０００８】
同構成によれば、携帯機が所定角度より大きく傾斜したときに傾斜検知信号を出力するため、所定角度未満の微小な傾斜では傾斜検知信号の出力がなく、傾斜検知信号の出力回数を抑制し、使用者が意図したときにのみ出力することができる。また、傾斜検知信号の出力をトリガとして、遠隔操作内容を順番に切り替えて操作信号を生成するため、操作信号を出力させる操作が携帯機を所定角度より大きく傾斜させるだけでよいため簡便である。
【０００９】
請求項３に記載の発明は、請求項１に記載の携帯機において、前記傾斜検知手段は、検知した傾斜方向に基づいて複数種類の遠隔操作内容に対応する異なる前記傾斜検知信号を出力し、前記操作信号生成手段は、前記傾斜検知信号に基づいて前記遠隔操作内容を判断し、その旨の前記操作信号を生成することをその要旨としている。
【００１０】
同構成によれば、携帯機の傾斜方向に応じて操作信号を生成することにより、使用者は望む操作を傾斜方向によって操作対象に行わせることができるようになる。
請求項４に記載の発明は、操作対象を遠隔操作する携帯機において、携帯機の速度変化を検知すると加速度検知信号を出力する加速度検知手段と、前記携帯機が握られているときに握り検知信号を出力する握り検知用スイッチと、前記速度検知信号に基づいて遠隔操作内容を判断し、その旨の操作信号を生成する操作信号生成手段とを備え、前記握り検知信号が出力されているときにのみ前記操作信号を送信することをその要旨としている。
【００１１】
同構成によれば、握り検知信号と操作信号とが出力されているときにのみ操作信号が送信されるため、携帯機をポケットや鞄に入れて携帯するときに、意図しない遠隔操作を抑制することができる。また、携帯機に速度変化を与えることによって操作信号を送信することができるため、操作が簡易である。
【００１２】
請求項５に記載の発明は、請求項４に記載の携帯機において、前記加速度検知手段は、所定加速度より大きい速度変化を検知したときに、前記加速度検知信号を出力し、前記操作信号生成手段は、前記加速度検知信号が出力される度に前記遠隔操作内容を順番に切り替えて判断し、その旨の前記操作信号を生成することをその要旨としている。
【００１３】
同構成によれば、携帯機が所定加速度より大きい速度変化を検知したときに加速度検知信号を出力するため、所定加速度未満の微小な加速では加速度検知信号の出力がなく、加速度検知信号の出力回数を抑制し、使用者が意図したときにのみ出力することができる。また、加速度検知信号の出力をトリガとして、遠隔操作内容を順番に切り替えて操作信号を生成するため、操作信号を出力する操作が所定の加速度より増加させるだけでよいため簡便である。
【００１４】
請求項６に記載の発明は、請求項４に記載の携帯機において、前記加速度検知手段は、検知した加速度の方向に基づいて複数種類の前記遠隔操作内容に対応する異なる前記加速度検知信号を出力し、前記操作信号生成手段は、前記加速度検知信号に基づいて前記遠隔操作内容を判断し、その旨の前記操作信号を生成することをその要旨としている。
【００１５】
同構成によれば、検知した加速度の方向に応じて操作信号を生成することにより、使用者は望む操作を携帯機に対する加速度の与え方によって操作対象に行わせることができるようになる。
【００１６】
請求項７に記載の発明は、請求項１〜６のいずれか一項に記載の携帯機において、前記握り検知スイッチは、タッチセンサであることをその要旨としている。
同構成によれば、機械的接点のものに比べ、軽い接触によって入力を行えるため、使用者の操作負担を軽減させることができる。
【００１７】
請求項８に記載の発明は、請求項１〜７のいずれか一項に記載の携帯機を具備し、前記操作信号には前記操作対象である車両又は建物のドア錠の施解錠を行わせる施解錠信号とＩＤコードとが含まれ、前記携帯機から送信される前記操作信号の前記ＩＤコードと前記車両又は建物に予め設定されたＩＤコードとの照合が一致したことを条件に、前記施解錠信号に基づいて前記車両又は建物に設けられたドアのドア錠の施解錠を行う車両又は建物のドア錠の遠隔操作装置であることをその要旨としている。
【００１８】
車両又は建物に設けられたドアのドア錠の施解錠を行う遠隔操作装置にあっては、ドア錠を不正に解錠されることを防止するために、携帯機からの信号に含まれるＩＤコードとの照合を条件に施解錠を行うことによって、防犯性を向上させている。上記構成によれば、この携帯機からの信号が、使用者の意図しない状況で送信されることを防止することができるため、防犯性を維持することができる。
【発明の効果】
【００１９】
本発明によれば、ポケットや鞄に入れて携帯するときに、意図しない遠隔操作を抑制することができる携帯機を提供することができる。
【発明を実施するための最良の形態】
【００２０】
（第１の実施形態）
以下、本発明にかかる携帯機を車両のドア錠の遠隔操作装置に具体化した第１の実施形態について図１〜３を参照して説明する。図１は、携帯機と車両との概略構成を示すブロック図である。図２は、携帯機の斜視図である。図３は、携帯機の傾斜方向を示す図である。
【００２１】
図１に示されるように、遠隔操作装置は、使用者が携帯する携帯機１と車両１０に設けられる制御部１１とを備えている。携帯機１は、携帯機１が傾斜したことを検知すると傾斜方向に基づいて二種類の遠隔操作内容に対応する異なる傾斜検知信号を出力する傾斜検知手段である傾斜センサ２と、使用者が携帯機１を握っていることを検知し、握り検知信号を出力する握り検知手段である二つの握り検知スイッチ３，４と、傾斜センサ２からの傾斜検知信号と握り検知スイッチ３，４の各々からの握り検知信号とが入力されるマイクロコンピュータ（マイコン）５と、操作対象である車両１０のドア錠を操作する操作信号を送信する送信回路６とを備えている。マイコン５は、傾斜センサ２から出力された傾斜検知信号に基づいて遠隔操作内容を判断し、その旨の操作信号を生成する操作信号生成手段として機能し、予め記憶されたＩＤコードを生成した操作信号に付加して送信回路６に出力する。送信回路６にはアンテナ６ａが接続され、送信回路６はマイコン５から出力される操作信号を変調し、アンテナ６ａを介して送信する。
【００２２】
図２に示されるように、握り検知スイッチ３，４の各々は、携帯機１の異なる側面に長手方向に延伸して、互いに向かい合って設けられている。これら握り検知スイッチ３，４は、静電容量センサ等のタッチセンサである。これら握り検知スイッチ３，４は、使用者が携帯機１を握ると各々から握り検知信号がマイコン５に出力される。なお、マイコン５は、スリープモード機能を有し、握り検知スイッチ３，４の各々から握り検知信号が入力されたことによって起動する。すなわち、握り検知信号の入力によって携帯機１に対する傾斜変化が有効となる。
【００２３】
図１に示されるように、車両１０に設けられた制御部１１は、操作信号を受信する受信回路１２と、マイコン１３とを備えている。受信回路１２にはアンテナ１２ａが接続され、受信回路１２はアンテナ１２ａを介して操作信号を受信し、受信された操作信号を復調してマイコン１３に出力する。車両１０には、各ドアのドア錠の施解錠を行うドア錠機構１４が備えられ、ドア錠機構１４はマイコン１３から出力される操作信号に基づいてドア錠の施解錠を行う。
【００２４】
携帯機１の傾斜方向と車両１０のドア錠の遠隔操作内容（解錠及び施錠）とは予め関連付けられている。すなわち、携帯機１が図３に示される矢印Ａの方向又は矢印Ｂの方向に傾斜されるときは、マイコン５は車両１０のドア錠を解錠する操作である旨判断する。一方、携帯機１が矢印Ｃの方向又は矢印Ｄの方向に傾斜されるときは、マイコン５は車両１０のドア錠を施錠する操作である旨判断する。
【００２５】
次に、使用者が携帯機１を傾斜させることによって車両１０のドア錠の施解錠を行う処理手順について説明する。以下（Ａ）解錠操作時、（Ｂ）施錠操作時の順に説明する。
（Ａ）携帯機１が図３に示される矢印Ａの方向又は矢印Ｂの方向に傾斜されたとき、傾斜センサ２は、傾斜検知信号ＡＢをマイコン５に出力する。マイコン５は、握り検知スイッチ３，４の各々から握り検知信号が出力されていることを条件に、傾斜センサ２から出力された傾斜検知信号ＡＢに基づいて、当該傾斜操作が解錠操作である旨判断し、車両１０のドア錠を解錠する解錠操作信号を生成し、携帯機１に予め記憶されたＩＤコードを解錠操作信号に付加し、送信回路６に出力する。送信回路６は、解錠操作信号を変調してアンテナ６ａを介して送信する。
【００２６】
車両１０の制御部１１は、アンテナ１２ａを介して携帯機１から送信された解錠操作信号を受信すると、受信回路１２は解錠操作信号を復調して、マイコン１３に出力する。マイコン１３は、解錠操作信号に含まれるＩＤコードと車両１０に記憶されたＩＤコードとの照合を行う。そして、照合が一致したときは解錠操作信号に基づいて各ドア錠をドア錠機構１４によって解錠する。
【００２７】
（Ｂ）携帯機１が図３に示される矢印Ｃの方向又は矢印Ｄの方向に傾斜されたとき、傾斜センサ２は、傾斜検知信号ＣＤをマイコン５に出力する。マイコン５は、握り検知スイッチ３，４の各々から握り検知信号が出力されていることを条件に、傾斜センサ２から出力された傾斜検知信号ＣＤに基づいて、当該傾斜操作が施錠操作である旨判断し、車両１０のドア錠を施錠する施錠操作信号を生成し、携帯機１に予め記憶されたＩＤコードを施錠操作信号に付加し、送信回路６に出力する。送信回路６は、施錠操作信号を変調してアンテナ６ａを介して送信する。
【００２８】
車両１０の制御部１１は、アンテナ１２ａを介して携帯機１から送信された施錠操作信号を受信すると、受信回路１２は施錠操作信号を復調して、マイコン１３に出力する。マイコン１３は、施錠操作信号に含まれるＩＤコードと車両１０に記憶されたＩＤコードとの照合を行う。そして、照合が一致したときは施錠操作信号に基づいて各ドア錠をドア錠機構１４によって施錠する。
【００２９】
以上、説明した第１の実施形態によれば、以下の作用効果を奏することができる。
（１）握り検知信号と操作信号とが出力されているときにのみ操作信号が送信されるため、携帯機１をポケットや鞄に入れて携帯するときに、意図しない遠隔操作を抑制することができる。また、携帯機１を傾けることによって操作信号を送信することができるため、操作が簡易である。
【００３０】
（２）携帯機１の傾斜方向と車両１０のドア錠の遠隔操作内容（解錠及び施錠）とを予め関連付けることにより、使用者は望む操作を傾斜方向によって車両１０のドア錠に行わせることができるようになる。
【００３１】
（３）携帯機１からの信号が、使用者の意図しない状況で送信されることを防止することができるため、防犯性を維持することができる。
（４）携帯機１に対して入力操作が行われるスイッチ等が表面に現れないため、自由な形状とすることができる。
【００３２】
（第２の実施形態）
以下、本発明にかかる携帯機を車両のドア錠の遠隔操作装置に具体化した第２の実施形態について、図１〜３を参照して説明する。この実施形態の携帯機１は、上記第１の実施形態の傾斜センサ２に代えて加速度センサ２を設けた点が異なっている。以下、第１の実施形態との相違点を中心に説明する。なお、この実施形態の携帯機は、図１に示す第１の実施形態の携帯機とほぼ同様の構成を備えている。
【００３３】
加速度センサ２は、携帯機１が使用者によって振られる等によって速度変化を検知すると加速度検知信号をマイコン５に出力する。詳しくは、携帯機１の加速度を検知すると検知した方向に基づいて二種類の遠隔操作内容に対応する異なる加速度検知信号を出力する。すなわち、携帯機１が図３に示される矢印Ａの方向又は矢印Ｂの方向への加速度を検知すると、加速度検知信号ＡＢをマイコン５に出力する。一方、携帯機１が図３に示される矢印Ｃの方向又は矢印Ｄの方向への加速度を検知すると、加速度検知信号ＣＤをマイコン５に出力する。
【００３４】
携帯機１の加速度を検知した方向と車両１０のドア錠の遠隔操作内容（解錠及び施錠）とは予め関連付けられている。すなわち、携帯機１が図３に示される矢印Ａの方向又は矢印Ｂの方向に加速度を検知したときは、マイコン５は車両１０のドア錠を解錠する操作である旨判断する。一方、携帯機１が矢印Ｃの方向又は矢印Ｄの方向に加速度を検知したときは、マイコン５は車両１０のドア錠を施錠する操作である旨判断する。加速度センサ２から加速度検知信号ＡＢが出力されたときには、マイコン５は、握り検知スイッチ３，４各々から握り検知信号が出力されていることを条件に、加速度検知信号ＡＢに基づいて、当該操作が解錠操作である旨判断し、車両１０のドア錠を解錠する解錠操作信号を生成し、携帯機１に予め記憶されたＩＤコードを解錠操作信号に付加し、送信回路６に出力する。一方、加速度センサ２から加速度検知信号ＣＤが出力されたときには、マイコン５は、握り検知スイッチ３，４の各々から握り検知信号が出力されていることを条件に、加速度検知信号ＣＤに基づいて、当該操作が施錠操作である旨判断し、車両１０のドア錠を施錠する施錠操作信号を生成し、携帯機１に予め記憶されたＩＤコードを施錠操作信号に付加し、送信回路６に出力する。
【００３５】
以上、説明した第２の実施形態によれば、以下の作用効果を奏することができる。
（１）握り検知信号と操作信号とが出力されているときにのみ操作信号が送信されるため、携帯機１をポケットや鞄に入れて携帯するときに、意図しない遠隔操作を抑制することができる。また、携帯機１に速度変化を与えることによって操作信号を送信することができるため、操作が簡易である。
【００３６】
（２）携帯機１の加速度を検知した方向と車両１０のドア錠の遠隔操作内容（解錠及び施錠）とは予め関連付けられていることにより、使用者は望む操作を携帯機１に対する加速度を与える方向によって車両１０のドア錠に行わせることができるようになる。
【００３７】
（３）携帯機１からの信号が、使用者の意図しない状況で送信されることを防止することができるため、防犯性を維持することができる。
（４）携帯機１に対して入力操作が行われるスイッチ等が表面に現れないため、自由な形状とすることができる。
【００３８】
なお、上記実施形態は、これを適宜変更した以下の形態にて実施することができる。
・上記第１の実施形態では、携帯機１が傾斜変化した方向に基づいて二種類の遠隔操作内容に対応する異なる傾斜検知信号を傾斜センサ２がマイコン５に出力し、マイコン５が操作信号を生成するようにしたが、次のようにしてもよい。すなわち、傾斜センサ２は、傾斜変化を検知したときに、携帯機１の傾斜方向に関わらず、傾斜検知信号をマイコン５に出力し、傾斜検知信号が出力される度にマイコン５が遠隔操作内容を順番に切り替えて判断し、その旨の操作信号を生成するようにしてもよい。例えば、施錠と解錠とを繰り返す。このような構成によれば、携帯機１をどの方向に傾斜させてもよいので、操作信号を出力する操作が簡便である。
【００３９】
・上記第２の実施形態では、加速度センサが検知した加速度の方向に基づいて二種類の遠隔操作内容に対応する異なる加速度検知信号を加速度センサ２がマイコン５に出力し、マイコン５が操作信号を生成するようにしたが、次のようにしてもよい。すなわち、加速度センサは、速度変化を検知したときに、携帯機１の加速度の検知した方向に関わらず、加速度検知信号をマイコン５に出力し、加速度検知信号が出力される度にマイコン５が遠隔操作内容を順番に切り替えて判断し、その旨の操作信号を生成するようにしてもよい。例えば、施錠と解錠とを繰り返す。このように構成すれば、携帯機１にどの方向に加速度を与えてもよいので、操作信号を出力する操作が簡便である。
【００４０】
・上記第１の実施形態では、傾斜センサ２が携帯機１の傾斜変化を検知すると傾斜検知信号を出力するようにしたが、所定角度、例えば図３に示されるθより大きい傾斜変化を検知したときに傾斜検知信号を出力するようにしてもよい。このような構成によれば、所定角度θ未満の微小な傾斜では傾斜検知信号の出力がなく、傾斜検知信号の出力回数を抑制し、使用者が意図したときにのみ出力することができる。
【００４１】
・上記第２の実施形態では、加速度センサ２が携帯機１の加速度を検知すると加速度検知信号を出力するようにしたが、所定加速度より大きい速度変化を検知したときに、加速度検知信号を出力するようにしてもよい。このような構成によれば、所定加速度未満の微小な加速度では加速度検知信号の出力がなく、加速度検知信号の検知回数を抑制し、使用者が意図したときにのみ出力することができる。
【００４２】
・上記第１及び第２の実施形態では、傾斜センサ２の検知方向及び加速度センサ２の検知方向は、矢印Ａと矢印Ｂとを結んだ軸と、矢印Ｃと矢印Ｄとを結んだ軸との二軸であったが、図３に示される一点鎖線の軸を加えて三軸としてもよい。
【００４３】
・上記実施形態において、握り検知スイッチ３，４にタッチセンサを用いたが、マイクロスイッチ（タクタイルスイッチ）等の機械的接点を用いてもよい。
・上記実施形態では、操作信号の送信は二つの握り検知スイッチ３，４の両方から握り検知信号がマイコン５に出力されたときであったが、握り検知スイッチ３，４の少なくとも一方から握り検知信号がマイコン５に出力されたときに操作信号を送信するようにしてもよい。この結果、握り方によって握り検知信号が片方からのみ出力されるときにも、携帯機１を握っていると判断して操作信号を送信することができるようになる。
【００４４】
・上記実施形態では、二つの握り検知スイッチ３，４を設けるようにしたが、一つだけ設けるようにしてもよい。
・上記実施形態では、携帯機１を車両１０に設けられたドア錠の遠隔操作装置に具体化したが、建物のドア錠の遠隔操作装置に用いてもよい。また、その他に操作信号を送信することによって操作対象を遠隔操作するものに用いてもよい。
【図面の簡単な説明】
【００４５】
【図１】携帯機と車両との概略構成を示すブロック図。
【図２】携帯機の斜視図。
【図３】携帯機の傾斜方向又は加速度方向を示す図。
【符号の説明】
【００４６】
１…携帯機、２…傾斜センサ，加速度センサ、３，４…握り検知スイッチ、５…マイコン、６…送信回路、６ａ…アンテナ、１０…車両、１１…制御部、１２…受信回路、１２ａ…アンテナ、１３…マイコン、１４…ドア錠機構。
【図１】
2007329815.tif 000003
【図２】
2007329815.tif 000004
【図３】
2007329815.tif 000005